(57)【要約】      （修正有）【課題】コンピュータが、被検体の生体信号をセンサで検出した結果をディスプレイに表示する場合、所望のセンサを選択するチャネル選択画面と、選択したセンサに対応する波形を波形表示領域に表示する方法が知られている。しかし、多数のセンサが密集しているため、色づけられたセンサと色づけられていないセンサとの境界の識別性が悪い。【解決手段】被検体の生体信号を検出するセンサ群の各センサの位置を示す位置情報を表示する位置表示領域（１４１，１４１ａ−１）と、センサ群のうち所定の複数のセンサの各位置を示す複数の位置情報の選択を受け付ける選択受付領域（１４１，１４１ａ−１）と、この選択された複数の位置情報に係る所定の複数のセンサが出力する波形を表示する波形表示領域と、を表示し、前記位置表示領域は、前記選択された複数の位置情報を強調表示する（１４１−３等）。【選択図】図７
2019080896.tif 000002
【特許請求の範囲】
【請求項１】
被検体の生体信号を検出するセンサ群の各センサの位置を示す位置情報を表示する位置表示領域と、
前記センサ群のうち所定の複数のセンサの各位置を示す複数の位置情報の選択を受け付ける選択受付領域と、
前記選択された前記複数の位置情報に係る前記所定の複数のセンサが出力する波形を表示する波形表示領域と、
を表示し、
前記位置表示領域は、前記選択された複数の位置情報を含む領域を示す単一の領域情報を表示することを特徴とする情報処理装置。
【請求項２】
被検体の生体信号を検出するセンサ群の各センサの位置を示す位置情報を表示する位置表示領域と、
前記センサ群のうち所定の複数のセンサの各位置を示す複数の位置情報の選択を受け付ける選択受付領域と、
前記選択された前記複数の位置情報に係る前記所定の複数のセンサが出力する波形を表示する波形表示領域と、
を表示し、
前記位置表示領域は、前記選択された複数の位置情報を拡大して表示することを特徴とする情報処理装置。
【請求項３】
前記位置表示領域は前記選択受付領域を含むことを特徴とする請求項１又は２に記載の情報処理装置。
【請求項４】
前記位置表示領域及び前記波形表示領域は、前記波形の伝播方向に並んで表示されていることを特徴とする請求項１乃至３のいずれか一項に記載の情報処理装置。
【請求項５】
前記位置表示領域及び前記波形表示領域は、隣接して表示されていることを特徴とする請求項４に記載の情報処理装置。
【請求項６】
前記位置表示領域は、前記センサ群の各センサの位置を示す位置情報を表示する大型の位置表示領域、及び、前記センサ群の各センサの位置を示す位置情報を表示する小型の位置表示領域を含むことを特徴とする請求項１乃至５のいずれか一項に記載の情報処理装置。
【請求項７】
前記選択受付領域は、前記大型の位置表示領域で表示されている前記センサ群のうち所定の複数のセンサの各位置を示す複数の位置情報を含む範囲の指定を受け付けることで前記複数の位置情報の選択を受け付ける大型の選択受付領域、及び、前記小型の位置表示領域で表示されている前記センサ群のうち所定の複数のセンサの各位置を示す複数の位置情報をまとめて選択可能なリストを表示することで前記複数の位置情報の選択を受け付ける小型の選択受付領域を含むことを特徴とする請求項６に記載の情報処理装置。
【請求項８】
前記大型の選択受付領域は、前記複数の位置情報を含む範囲の指定を受け付け、
前記大型の位置表示領域は、予め定められている複数の前記領域情報のうち、前記指定された範囲に最も近い領域を示す特定の領域情報を表示する
ことを特徴とする請求項７に記載の情報処理装置。
【請求項９】
請求項１乃至８のいずれか一項に記載の情報処理装置と、
被検体の生体信号を検出するセンサ群が設けられた測定装置と、
を有することを特徴とする生体信号計測システム。
【請求項１０】
被検体の生体信号を検出するセンサ群の各センサの位置を示す位置情報を表示する位置表示領域と、
前記センサ群のうち所定の複数のセンサの各位置を示す複数の位置情報の選択を受け付ける選択受付領域と、
前記選択された前記複数の位置情報に係る前記所定の複数のセンサが出力する波形を表示する波形表示領域と、
を表示し、
前記位置表示領域は、前記選択された複数の位置情報を含む領域を示す単一の領域情報を表示することを特徴とする表示方法。
【請求項１１】
コンピュータに、請求項１０に記載の方法を実行させるプログラム。
【請求項１２】
被検体の生体信号を検出するセンサ群の各センサの位置を示す位置情報を表示する位置表示領域と、
前記センサ群のうち所定の複数のセンサの各位置を示す複数の位置情報の選択を受け付ける選択受付領域と、
前記選択された前記複数の位置情報に係る前記所定の複数のセンサが出力する波形を表示する波形表示領域と、
を表示し、
前記位置表示領域は、前記選択された複数の位置情報を拡大して表示することを特徴とする表示方法。
【請求項１３】
コンピュータに、請求項１２に記載の方法を実行させるプログラム。
【発明の詳細な説明】
【技術分野】
【０００１】
本開示内容は、情報処理装置、表示方法、及びプログラムに関する。
【背景技術】
【０００２】
近年、脳の神経細胞の活動そのものを非侵襲的に記録するため、神経細胞が生じる電気的活動を脳波計によって検出する方法と、その電気的活動によって生じた磁場（脳磁場）を脳磁計によって検出する方法が行われている。これらの方法は、センサ群が備えられた測定装置が、人体等の被検体の生体信号を検出することによって実現される。検出結果は、コンピュータ等の情報処理装置によってディスプレイに表示される。
【０００３】
また、従来、検出結果を表示する方法として、所望のセンサを選択するチャネル選択画面と、選択されたセンサに対応する波形を波形表示領域に表示する脳磁計システムが知られている（特許文献１参照）。特定されたセンサには色づけが施され、測定者は画面上でセンサを視認・特定することが可能である。
【発明の概要】
【発明が解決しようとする課題】
【０００４】
しかしながら、従来の技術では、多数のセンサが密集しているため、色づけられたセンサの位置情報と色づけられていないセンサの位置情報との境界の識別性が悪いという問題がある。
【０００５】
本発明は、上記に鑑みてなされたものであって、選択状態の視認性を向上させることが可能な情報処理装置、生体信号計測システム、表示方法、及びプログラムを提供することを目的とする。
【課題を解決するための手段】
【０００６】
上述した課題を解決し、目的を達成するために、本発明は、被検体の生体信号を検出するセンサ群の各センサの位置を示す位置情報を表示する位置表示領域と、前記センサ群のうち所定の複数のセンサの各位置を示す複数の位置情報の選択を受け付ける選択受付領域と、前記選択された前記複数の位置情報に係る前記所定の複数のセンサが出力する波形を表示する波形表示領域と、を表示し、前記位置表示領域は、前記選択された複数の位置情報を含む領域を示す単一の領域情報を表示することを特徴とする情報処理装置である。
【発明の効果】
【０００７】
本発明によれば、選択されたセンサの位置情報と選択されていないセンサの位置情報との境界の識別性を向上させることができる。
【図面の簡単な説明】
【０００８】
【図１】実施形態の生体信号計測システムの概略図である。
【図２】情報処理装置に表示される開始画面の一例を示す図である。
【図３】測定収録画面の一例を示す図である。
【図４】測定収録時の情報処理装置の動作を示すフローチャートである。
【図５】解析画面の一例を示す図である。
【図６】解析時の情報処理装置の動作を示すフローチャートである。
【図７】分布図の一例を示す図である。
【図８】分布図の変形例を示す図である。
【図９】測定収録画面の一例を示す図である。
【図１０】解析画面の一例を示す図である。
【図１１】分布図とその縮小画像を模式的に示した図である。
【図１２】縮小画像の変形例を示す図である。
【図１３】測定収録画面の変形例を示す図である。
【図１４】測定収録画面の変形例を示す図である。
【図１５】解析画面の変形例を示す図である。
【図１６（ａ）】解析画面の変形例を示す図である。
【図１６（ｂ）】解析画面の変形例を示す図である。
【図１７】縮小画面の選択領域の選択方法の一例を示す図である。
【図１８】分布図の表示動作を示すフローチャートである。
【図１９】分布図および縮小画像の表示動作を示すフローチャートである。
【図２０】分布図および縮小画像の表示動作を示すフローチャートである。
【図２１】分布図および縮小画像の表示動作を示すフローチャートである。
【図２２】縮小画像の変形例を示す図である。
【図２３】縮小画像の変形例を示す図である。
【図２４】情報処理装置のハードウェア構成図である。
【図２５】情報処理装置の機能ブロック図である。
【図２６】心磁計における分布図の一例を示す図である。
【図２７】磁気センサの領域を複数個所選択できるようにした場合の分布図の一例を示す図である。
【図２８】分布図の変形例を示す図である。
【発明を実施するための形態】
【０００９】
以下、添付図面を参照しながら、本発明の実施形態に係る情報処理装置、表示方法、プログラムおよび生体信号計測システムを詳細に説明する。
【００１０】
図１は、本実施形態の生体信号計測システム１の概略図である。生体信号計測システム１は、被検者（被測定者）の複数種類の生体信号、たとえば脳磁（ＭＥＧ：Magneto-encephalography）信号と脳波（ＥＥＧ：Electro-encephalography）信号を計測し、表示する。測定対象となる生体信号は、脳磁信号および脳波信号に限られるものではなく、例えば心臓の活動に応じて発生する電気信号（心電図として表現可能な電気信号）であってもよい。図１に示すように、生体信号計測システム１は、被検者の１以上の生体信号を測定する測定装置３と、測定装置３で測定された１以上の生体信号を記録するサーバ４０と、サーバ４０に記録された１以上の生体信号を解析する情報処理装置５０とを含む。ここでは、サーバ４０と情報処理装置５０とは別々に記載されているが、例えばサーバ４０が有する機能の少なくとも一部が情報処理装置５０に組み込まれる形態であってもよい。
【００１１】
図１の例では、被検者は、頭に脳波測定用の電極（またはセンサ）を付けた状態で測定テーブル４に仰向けで横たわり、測定装置３のデュワ３０の窪み３１に頭部を入れる。デュワ３０は、液体ヘリウムを用いた極低温環境の保持容器であり、デュワ３０の窪み３１の内側には脳磁測定用の多数の磁気センサ（単に「センサ」ともいう）が配置されている。測定装置３は、電極からの脳波信号と、磁気センサからの脳磁信号を収集し、収集した脳波信号および脳磁信号を含むデータ（以下の説明では「測定データ」と称する場合がある）をサーバ４０に出力する。サーバ４０に収録された測定データは、情報処理装置５０に読み出されて表示され、解析される。一般的に、磁気センサを内蔵するデュワ３０と測定テーブル４は磁気シールドルーム内に配置されているが、図示の便宜上、磁気シールドルームを省略している。
【００１２】
情報処理装置５０は、複数の磁気センサからの脳磁信号の波形と、複数の電極からの脳波信号の波形を、同じ時間軸上に同期させて表示する。これらのうち、脳磁信号は、脳の電気活動により生じた微小な磁場変動を表わす。脳磁場は高感度の超伝導量子干渉計（ＳＱＵＩＤ）センサで検知される。また、脳波信号は、神経細胞の電気的な活動（シナプス伝達の際にニューロンの樹状突起で起きるイオン電荷の流れ）を電極間の電圧値として表すものである。脳磁場は高感度の超伝導量子干渉計（ＳＱＵＩＤ）センサで検知される。これらの脳波信号および脳磁信号は「生体信号」の一例である。
【００１３】
図２は、情報処理装置５０に表示される開始画面２０４の一例を示す。開始画面２０４には、「測定収録」と「解析」の選択ボックスが表示される。脳波及び／または脳磁測定の場合、データの測定収録とデータの解析は、別々の主体によって行われる場合が多い。
例えば、測定技師（測定者）によって「測定収録」のボックスが選択されると、測定装置３で測定されたデータは順次サーバ４０に保存され、情報処理装置５０に読み出されて表示される。測定収録の終了後、医師によって「解析」ボックスが選択されると、収録された測定データが読み出され解析される。
【００１４】
＜測定収録時の動作＞
図３は、測定収録画面の一例を示す。測定収録画面は、測定された信号波形を表示する領域２０１Ａと、信号波形以外のモニタ情報を表示する領域２０１Ｂを有する。信号波形を表示する領域２０１Ａは、測定者からみて画面の左側に配置され、信号波形以外のモニタ情報を表示する領域２０１Ｂは、測定者からみて画面の右側に配置されている。リアルタイムで検出され表示される波形の動き（画面の左側から右側に向かって表示される）に合わせた測定者の視線の動きと、画面左側の領域２０１Ａから右側の領域２０１Ｂへマウスを移動させるときの動きに無駄が生じず、作業効率が向上する。
【００１５】
表示画面の領域２０１Ｂでは、測定中に被測定者の様子を確認するためのモニタウィンドウ１７０が表示される。測定中の被測定者のライブ映像を表示することで、信号波形のチェック、判断の信頼性を高めることができる。
【００１６】
領域２０１Ａは、信号検出の時間情報を画面の水平方向（第１方向）に表示する時間表示領域１１０と、信号検出に基づく複数の信号波形を画面の垂直方向（第２方向）に並列に表示する波形表示領域１０１〜１０３を含む。
【００１７】
時間表示領域１１０で表示される時間情報は、時間軸１１２に沿って付された時間表示を含むタイムラインであるが、時間（数字）を表示せずに、帯状の軸だけでもよいし、軸を設けずに時間（数字）の表示だけであってもよい。また、画面上側の時間表示領域１１０の他に、波形表示領域１０３の下側に時間軸を表示して、タイムラインを表示してもよい。
【００１８】
領域２０１Ａでは、同種の複数のセンサから取得される複数の信号波形、あるいは複数種類のセンサ群から取得される複数種類の信号の波形が、同じ時間軸で同期して表示される。例えば、波形表示領域１０１には被測定者の頭部右側から得られる複数の脳磁信号の波形が、波形表示領域１０２には被測定者の頭部左側から得られる複数の脳磁信号の波形が、それぞれ並列に表示されている。波形表示領域１０３には、複数の脳波信号の波形が並列に表示されている。これらの複数の脳波信号波形は、各電極間で測定された電圧信号である。これらの複数の信号波形の各々は、その信号が取得されたセンサの識別番号あるいはチャネル番号と対応付けられてチャネル軸１０４に表示されている。
【００１９】
測定が開始され各センサからの測定情報が収集されると、時間の経過とともに領域２０１Ａの各波形表示領域１０１〜１０３の左端から右方向に向けて信号波形が表示される。
ライン１１３は計測の時刻（現在）を示しており、画面の左から右に向けて移動する。領域２０１Ａの右端（時間軸１１２の右端）まで信号波形が表示されると、その後は画面の左端から右に向けて徐々に信号波形が消え、消えた位置に新しい信号波形が順次左から右方向に表示され且つライン１１３も左端から右に向けて移動していく。これとともに、水平方向の時間表示領域１１０でも測定の進行に対応して、時間の経過が時間軸１１２上に表示される。測定収録は、終了ボタン１１９が押されるまで継続される。
【００２０】
実施形態では、測定者（収録者）がデータ収録中に信号波形上で波形の乱れ、振幅の特異点等に気付いたときに、問題となる箇所または範囲を信号波形上でマークすることができる。マーキングの箇所または範囲は、マウスによるポインタ操作あるいはクリック操作で指定することができる。指定された箇所（または範囲）は、波形表示領域１０１〜１０３の信号波形上に強調表示されるとともに、指定結果が対応する時刻位置又は時間範囲で、時間表示領域１１０の時間軸１１２に沿って表示される。時間軸１１２上への表示を含むマーキングの情報は、信号波形データとともに保存される。指定された箇所は或る時刻に対応し、指定された範囲は或る時刻を含む一定範囲に対応する。
【００２１】
図３の例では、時刻ｔ１では、波形表示領域１０３で１以上のチャネルを含む範囲が指定され、マーク１０３ａ−１で時刻ｔ１を含んだ時間がハイライト表示されている。マーク１０３ａ−１の表示と関連して時間表示領域１１０の対応する時刻位置に、指定結果を示すアノテーション１１０ａ−１が表示されている。時刻ｔ２では、波形表示領域１０３で別の波形位置またはその近傍がマークされ、その位置（時刻ｔ２）または近傍の領域（少なくとも時間範囲か複数の波形のいずれか一つが指示される）にマーク１０３ａ−２がハイライト表示されている。同時に、時間表示領域１１０の対応する時刻位置（時間範囲）に、アノテーション１１０ａ−２が表示される。なお、アノテーションとは、あるデータに対して関連する情報を注釈として付与することを指す。本実施形態のアノテーションは、少なくとも指定された時間情報に基づいて注釈として表示され、少なくとも時間情報に基づく波形が表示される位置と結び付けて、注釈として表示される。また、複数のチャネルが表示される場合、対応するチャネル情報と結びつけ、注釈として表示されるようにしても良い。
【００２２】
時刻ｔ２で、測定者が別の波形箇所またはその近傍領域を指定すると、指定された箇所でマーク１０３ａ−２がハイライト表示され、これとともに、時間表示領域１１０の対応する時刻位置に、アノテーション番号「２」が表示される。さらに、ハイライト表示された箇所に、属性選択のためのポップアップウィンドウ１１５が表示される。ポップアップウィンドウ１１５は、種々の属性を選択する選択ボタンと、コメントや追加情報を入力する入力ボックスを有する。選択ボタンには、波形の属性として「速波（fast activity）」、「眼球運動（eye motion）」、「体動（body motion）」、「スパイク（spike）」など、波形乱れの要因が示されている。測定者は、画面の領域２０１Ｂのモニタウィンドウ１７０で被測定者の様子を確認することができるので、波形の乱れの原因を示す属性を適切に選択することができる。たとえば、波形にスパイクが生じたときに、てんかんの症状を示すスパイクなのか、被測定者の体動（くしゃみ等）に起因するスパイクなのかを判断することができる。
【００２３】
アノテーション１１０ａ−１の一部または全部、たとえば、属性アイコンとテキストアノテーションの少なくとも一方を、波形表示領域１０３の信号波形上のマーク１０３ａ−１の近傍にも表示してもよい。信号波形上へのアノテーションの追加は、波形形状のチェックの妨げになる場合もあり得るので、波形表示領域１０１〜１０３の信号波形上にアノテーションを表示させる場合は、表示・非表示を選択可能にしておくことが望ましい。
【００２４】
領域２０１Ｂのモニタウィンドウ１７０では、測定テーブル４に横たわって頭部を測定装置３に入れている被測定者の状態のライブ映像が表示される。領域２０１Ｂでは、波形表示領域１０１、１０２、１０３の信号波形の各々に対応する分布図１４１、１４２、１３０と、アノテーションリスト１８０が表示される。
【００２５】
分布図１４１、１４２は、脳磁分布図である。分布図１３０は脳波測定用の電極（またはセンサ）の配置を示す脳波分布図である。測定収録するにあたって、波形表示領域１０１、１０２に表示させる磁気センサを脳磁分布図１４１、１４２で選択することができる。
【００２６】
磁気センサの選択については、左／右のセンサ群の選択だけでなく、頭頂部、前頭葉、又は側頭葉などのパートから、任意に選択可能である。また「MEG1 Window Control」で脳磁分布図１４１の頭頂部のセンサが選択された場合は、「MEG2 Window Control」では、脳磁分布図１４２の頭頂部以外のセンサが選択された状態となる。このとき、チャネル軸１０４に表示されるセンサの識別番号あるいはチャネル番号は、波形表示領域１０１では頭頂部のセンサの番号、波形表示領域１０２では頭頂部以外のセンサの番号となる。
【００２７】
アノテーションリスト１８０は、領域２０１Ａの信号波形上でマークされたアノテーションの一覧である。波形表示領域１０１〜１０３で信号波形上の位置または範囲が指定されアノテーションが付される都度、対応する情報がアノテーションリスト１８０に順次追加される。
【００２８】
終了ボタン１１９が選択（押下）され測定が終了すると、波形表示領域１０１〜１０３で指定されたハイライト箇所は信号波形に対応付けて保存される。波形表示領域１１０の対応する時刻位置に表示されたアノテーション情報も、アノテーション番号と時刻に対応付けて保存される。これらの表示情報を保存することで、測定者と解析者が異なる場合でも、解析者は容易に問題となる箇所を認識し、解析することができる。
【００２９】
図４は、情報処理装置５０で行われる測定収録段階での情報表示処理のフローチャートである。図２に示す開始画面２０４で「測定収録」が選択されると、情報処理装置５０の受付部５２は選択を受け付ける（Ｓ１１）。これにより測定が開始され、表示制御部２５１は、複数の信号の波形が同じ時間軸に沿って同期して表示する（Ｓ１２）。ここで「複数の信号波形」という場合は、同一種類の複数のセンサで検知された信号波形と、異なる種類のセンサの各々で検知された複数の信号波形の両方を含む。この例では、複数の生体信号の波形は、被測定者の頭部右側に対応する複数の磁気センサから得られる脳磁信号の波形と、被測定者の頭部左側に対応する複数の磁気センサから得られる脳磁信号の波形と、被測定者の脳波測定用の電極から得られる脳波信号の波形と、から構成されるが、これに限られるものではない。
【００３０】
情報処理装置５０の判断部５５は、表示されている信号波形上で注目位置（または注目範囲）が指定されたか否かを判断する（Ｓ１３）。注目箇所または範囲の指定があると（Ｓ１３でＹＥＳ）、表示制御部２５１は、信号波形の表示領域（波形表示領域１０１〜１０３）に指定位置（領域）を強調表示するとともに、時間軸領域（表示領域１１０）の対応する時刻位置に選択結果を表示する（Ｓ１４）。選択結果には、選択がなされたこと自体を示す情報、または選択の識別情報が含まれる。判断部５５は、時間軸領域への選択結果の表示と同時に、あるいは前後して、アノテーションの入力要求の有無を判断する（Ｓ１５）。アノテーション入力の要求がある場合は（Ｓ１５でＹＥＳ）、表示制御部２５１は、入力されたアノテーション情報を時間軸領域の対応する時刻位置に表示するとともに、アノテーションリスト１８０に追加表示する（Ｓ１６）。その後、判断部５５は、測定終了コマンドが入力されたか否かを判断する（Ｓ１７）。一方、注目位置（領域）の指定がない場合（Ｓ１３でＮＯ）、及びアノテーションの入力要求がない場合（Ｓ１５でＮＯ）は、ステップＳ１７へ進んで、判断部５５が測定終了の判断を行う。測定が終了するまで（Ｓ１７でＹＥＳ）、ステップＳ１３〜Ｓ１６を繰り返す。
【００３１】
＜解析時の動作＞
図５は、解析時の情報処理装置５０の画面の一例を示す。解析画面は、図２の開始画面２０４で「解析」ボタンを選択することで表示させる。解析画面は、測定により得られた被検者の１以上の生体信号（この例では、被測定者の頭部右側に対応する複数の磁気センサから得られる脳磁信号、被測定者の頭部左側に対応する複数の磁気センサから得られる脳磁信号、被測定者の脳波測定用の電極から得られる脳波信号）の経時的変化を示す生体データと、測定時に生体データに対して入力された１以上のアノテーションとを対応付けた画面である。本実施形態では、情報処理装置５０の表示制御部２５１が、この解析画面を表示部（後述の表示装置２８）に表示する制御を行う。図５の例では、解析画面は、収録された３つの生体信号の経時的変化を示す波形（生体データに相当）をアノテーションとともに表示する領域２０２Ａと、解析情報を表示する領域２０２Ｂを有する。この例では、解析画面では３つの生体信号の経時的変化を示す波形を表示しているが、これに限らず、例えば、被検者へ与える刺激を発生させる刺激発生装置の入力信号が表示される場合もあるので、信号数は３つに限られるものではない。収録された信号波形とアノテーション情報を表示する領域２０２Ａは、測定者からみて画面の左側に配置され、解析表示する領域２０２Ｂは、測定者からみて右側に配置されている。このように領域２０２Ａ及び領域２０２Ｂを同時に表示するのは、解析の際に、測定者が、領域２０２Ａで信号波形をチェックまたは選択しながら、マウス等を操作して領域２０２Ｂで解析結果を確認または確定させる作業を効率的に行い易いからである。
【００３２】
本実施形態では、領域２０２Ａの波形表示領域１０３の脳波信号の波形の画面上方に、波形表示領域１０１，１０２の脳磁信号の波形を表示している。また、領域２０２Ａの右側の領域２０２Ｂでは、領域２０２Ａに近い側の画面領域で且つ画面上方に脳磁分布図１４１，１４２が表示され、脳波分布図１３０が脳磁分布図１４２の下方に表示されている。このため、解析者は、波形表示領域１０３の「脳波信号の波形」、波形表示領域１０１，１０２の「脳磁信号の波形」、脳磁分布図１４１、１４２、及び脳波分布図１３０の順に（この場合は、時計回りで）視線移動を行うことができる。そのため、解析者（または測定者）の視線移動が効率的になり、その結果、解析作業効率を向上させることが可能となる。なお、上記では、時計回りとして説明したがこの例に限定されない。
【００３３】
また、分布図１４１は、各センサ画像で示される各センサが出力する波形が、波形表示領域１０１に表示されている。即ち、波形表示領域１０１及び分布図１４１は、波形の伝播方向に並んで表示されている。波形表示領域１０２及び分布図１４２、並びに波形表示領域１０３及び分布図１３０の位置関係も同様に、波形の伝搬方向に隣接して並んで表示されている。
【００３４】
領域２０２Ａは、測定時の時間情報を画面の水平方向（第１方向）に表示する時間表示領域１１０及び時間帯表示領域１２０と、収録された信号波形を種類ごとに画面の垂直方向（第２方向）に並べて表示する波形表示領域１０１〜１０３とを含んでいる。
【００３５】
時間表示領域１１０には、収録時の時間の経過を示す時間軸１１２と、時間軸１１２に沿って付加されたアノテーション１１０ａ−７、１１０ａ−８が表示される。
【００３６】
時間帯表示領域１２０には、収録時間の全体を示す時間軸１２２が表示される。時間軸１２２に沿って、アノテーションが付加された時刻位置を示すポインタマーク１２０ａと、波形表示領域１０１〜１０３に現在表示されている信号波形が収録された時間帯を示すタイムゾーン１２０ｂが表示される。この表示により、解析者は、現在解析中の信号波形が、測定収録時のどの時間帯で取得された信号波形なのかを直感的に把握することができる。
【００３７】
解析者は、解析画面を開いた後に、たとえば、時間軸１２２のバー上でタイムゾーン１２０ｂをドラッグすることで所望の時間帯の信号波形を波形表示領域１０１〜１０３に表示させることができる。あるいは、後述するように、解析者が、アノテーションリスト１８０の中から所望のアノテーションを選択することで、表示制御部２５１は、この選択されたアノテーションを含む前後の信号波形を波形表示領域１０１〜１０３に表示させることができる。
【００３８】
波形表示領域１０１〜１０３には、収録時に信号波形に付加されたアノテーションＡ７、Ａ８が表示されている。マーク１０３ａ−７、１０３ａ−８がハイライト表示され、マーク１０３ａ−７、１０３ａ−８の近傍に対応する属性アイコン１０６−７、１０６−８が表示されている。また、マーク１０３ａ−７、１０３ａ−８の時刻位置を示す縦のライン１１７−７、１１７−８が表示されている。ライン１１７が表示されることで、たとえば、波形表示領域１０３の所定の箇所の選択と関連してアノテーションが付加されたときに、解析者は、他の信号表示エリアである波形表示領域１０２、１０１においても、選択結果を容易に視認することができる。ライン１１７−７、１１７−８は、アノテーション情報の視認を容易にするという意味でアノテーション情報に含めることができ、「アノテーションライン」と称してもよい。
【００３９】
図５に示されている解析画面には、波形表示領域１０１、１０２に表示されている信号波形に対応する脳磁分布図１４１、１４２、及び波形表示領域１０３に表示されている信号波形に対応する脳波分布図１３０が表示されている。また、脳磁図（ＭＥＧ：Magnetoencephalograph）の等磁場図１５０と、脳波図（ＥＥＧ；Electroencephalograph）のマップエリア１６０と、ＭＲＩ（磁気共鳴画像：Magnetic  Resonance  Imaging）で取得された被測定者の脳の断層画像の表示ウィンドウ１９０が表示されている。等磁場図１５０では、磁場の湧き出し領域と沈み込み領域が色分けされて表示され、電流の流れる方向が視覚的に把握される。等磁場図１５０とマップエリア１６０は測定完了後に得られる情報であり、ＭＲＩの断層画像は、別途検査で得られる情報である。
【００４０】
モニタウィンドウ１７０には、波形表示領域１０１〜１０３の信号波形が取得された時刻に同期して、測定時の被測定者の映像が表示される。解析者は、モニタウィンドウ１７０を見て被測定者の状態を確認しながら信号波形を解析することができる。
【００４１】
アノテーションリスト１８０には、測定収録で付加されたすべてのアノテーションが含まれている。
【００４２】
測定収録画面と異なり、解析者がアノテーション部分の信号波形を確認して最終的に信号源の推定がなされたアノテーションには、推定完了マーク１８２が表示されている。
【００４３】
図６は、情報処理装置５０で行われる解析段階での情報表示処理のフローチャートである。図２に示す開始画面２０４で「解析」が選択されると、情報処理装置５０の受付部５２は、選択を受け付ける（Ｓ２１）、これにより解析が開始され、表示制御部２５１は、解析画面を表示する（Ｓ２２）。初期の解析画面は、信号波形が表示されていないブランク画面であってもよいし、収録の先頭または最後の一定の時間範囲の信号波形であってもよい。解析画面が表示されると、判断部５５は、特定のアノテーションが選択されたか否かを判断する（Ｓ２３）。アノテーションの選択は、アノテーションリスト１８０内での特定のアノテーション番号または行の選択であってもよいし、時間帯表示領域１２０の時間軸１２２上のタイムゾーン１２０ｂを操作することによる時刻位置の指定であってもよい。アノテーションの選択があると（Ｓ２３でＹＥＳ）、表示制御部２５１は、選択されたアノテーションの時刻位置を含む所定時間分の信号波長を表示する（Ｓ２４）。解析終了コマンドが入力されるまで（Ｓ２５でＹＥＳ）、ステップＳ２３，Ｓ２４が繰り返される。
【００４４】
上述した表示処理動作により、視認性と操作性に優れた情報表示が実現する。
【００４５】
〔第１の実施形態〕
図７に示す分布図１４１を一例として第１の実施形態を説明する。
【００４６】
分布図１４１は、被検者の頭部に対する磁気センサの位置を示している。分布図１４１は頭部外形像１４１−１と複数のセンサ画像１４１−２を含む。センサ画像は、波形表示領域１０１に表示される波形の出力元である各センサの位置を示す丸く小さい画像である。
【００４７】
頭部外形像１４１−１は、被検者の鼻を示す三角状の部位が上方に表示され、左右に突出する小半円形は被検者の耳を示す。また、鼻を前としたときにＬは左側を示し、Ｒは右側を示す。センサ画像１４１−２は、デュワ３０（図１）の窪み３１の内側にある脳磁測定用の磁気センサの配置を示し、図７（ａ）に示す各ドットが磁気センサを示す。
【００４８】
波形表示領域１０１に表示させる波形を頭部の特定部位に絞り込みたい場合、収録者または解析者は、分布図１４１に表示されている複数のセンサ画像のうち、マウス等で所望とする複数のセンサ画像を選択する。
【００４９】
選択方法の一例として、図７（ａ）に示すように、測定者または解析者は、マウスなどの操作手段を用いて、所望の複数の磁気センサを囲うことで、複数のセンサ画像を含む選択領域１４１ａ−１を指定する。これにより、受付部５２は、磁気センサの指定を受け付け、表示制御部２５１が、図７（ａ）の選択領域１４１ａ−１を塗り潰した状態として、図７（ｂ）のように、指定された複数の位置情報を含む領域を示す単一の領域情報１４１−３を表示する。このように、測定者または解析者が、選択領域１４１ａ−１を指定することで、磁気センサ画像をまとめて選択することができる。この場合、分布図１４１は、被検者の生体信号を検出するセンサ群の各センサの位置を示す位置情報を表示する「位置表示領域」と、センサ群のうち所定の複数のセンサの各位置を示す複数の位置情報の選択を受け付ける「選択受付領域」を兼ねている。
【００５０】
また、選択方法の他の例として、図７（ｃ）に示すように、リストから磁気センサの選択領域を選択するものでもよい。測定者または解析者は、メニュー１４１ｍのリスト表示部１４１ｍ−１を押下すると、受付部５２は、押下を受け付け、表示制御部２５１が、図７（ｃ）のように、プルダウンリスト１４１ｍ−２を表示する。プルダウンリスト１４１ｍ−２には、予め登録されている磁気センサの領域の選択肢が表示されている。この場合、測定者または解析者が、プルダウンリスト１４１ｍ−２から所望の選択肢を選択すると、受付部５２は、複数の位置情報の選択を受け付け、表示制御部２５１が、図７（ｄ）のように領域情報１４１−４を表示させる。この場合、分布図１４１は、被検者の生体信号を検出するセンサ群の各センサの位置を示す位置情報を表示する「位置表示領域」であり、プルダウンリスト１４１ｍ−２は、センサ群のうち所定の複数のセンサの各位置を示す複数の位置情報の選択を受け付ける「選択受付領域」である。
【００５１】
このように、マウス又はプルダウンリストで選択領域を指定することで波形の出力元となるセンサを選択することに関しては、分布図１４２についても同様である。なお、センサ画像は、「位置情報」の一例であり、「位置情報」には、四角若しくは三角、又はセンサ形状のアイコン等も含まれる。
【００５２】
図１８は、本実施形態のフローチャートを示す。判断部５５は、受付部５２によって、図３又は図５に示されている分布図１４１の所望とするセンサの選択を受け付けたかを判断する（Ｓ１８１）。センサの選択は、収録者または解析者によって行われる。そして、判断部５５が選択を受け付けたと判断した場合には（Ｓ１８１でＹＥＳ）、表示制御部２５１が、受付部５２によって受け付けられたセンサの領域を分布図１４１上で強調表示する（Ｓ１８２）。この強調表示は、図７（ｂ）、（ｄ）又は、後述の図８（ａ）、（ｂ）、（ｃ）、（ｄ）に示されているような表示である。
【００５３】
その後、磁気センサの範囲がさらに選択されれば（Ｓ１８３でＮＯ）、Ｓ１８１，Ｓ１８２の分析の処理が繰り返される。一方、Ｓ１８１，Ｓ１８２の処理が行われないで、分析の処理が終了する場合には（Ｓ１８３でＹＥＳ）、本フローは終了する。なお、分布図１４２においても、同様の処理が行われる。また、測定時においては、Ｓ１８３の分析を測定に置き換えることで適用できる。
【００５４】
以上により、本実施形態によれば、選択された磁気センサの範囲が塗りつぶされて表示されることで、選択されていない磁気センサの領域との境界の識別性が向上する。また、選択された磁気センサの範囲を瞬時に視認することができる。
【００５５】
（第１の実施形態の変形例１）
続いて、第１の実施形態の変形例１について説明する。図８（ａ）は、選択されたセンサ画像１４１ａ−２を拡大して塗りつぶす（または表示する）ことで、センサ画像１４１ａ−３として表示する点で図７と相違する。測定者または解析者は、図７と同様に磁気センサの領域を選択する。磁気センサの領域が選択されると、選択された領域のセンサ１４１−２のドットの大きさが、選択されていない領域のセンサよりも大きく表示される。選択された領域の各センサの表示間隔が選択前に比べて狭くなるので、図７と同様の効果を奏することができる。なお、選択されたセンサのドットの大きさは、隣り合うセンサと重複するような大きさとしてもかまわない。この場合、重複する各センサは、１つにまとめて選択されているセンサとし、選択されていないセンサとは間隔を形成することが好ましい。
【００５６】
（第１の実施形態の変形例２）
続いて、第１の実施形態の変形例２について説明する。図８（ｂ）は、選択されていないセンサ１４１−２を非表示とした点で図７と相違する。また、図８（ｄ）は、選択されていないセンサー１４１−２を非表示とした点で図８（ａ）と相違する。
【００５７】
測定者または解析者は、図７と同様に磁気センサの領域を選択する。図８（ｂ）の場合、磁気センサの領域が選択されると、選択された領域が塗りつぶされるとともに、選択されていない領域のセンサ１４１−２が非表示となる。図８（ｄ）の場合、磁気センサの領域が選択されると、選択された領域のセンサ１４１−２のドットの大きさが、選択されていない領域のセンサよりも大きく表示されるとともに、選択されていない領域のセンサ１４１−２が非表示となる。
【００５８】
センサ１４１−２が密集していた場合、選択していないセンサ群が環境条件によっては塗りつぶされたように誤認する可能性が考えられる。これに対し、本実施形態によれば、選択していないセンサ群を非表示としたので、選択したセンサ群をより確実に視認することができる。
【００５９】
（第１の実施形態の変形例３）
続いて、第１の実施形態の変形例３について説明する。図８（ｃ）は、選択されていないセンサ１４１−２の領域の背景色を薄い色または分布図の背景色に近い色とした点で図８（ｂ）と相違する。このとき、選択されているセンサの領域情報１４１ａ−３は白色または分布図の背景色と識別可能な色としている。ここで選択されているセンサを示すドットをさらに表示してもよいし、図８（ｃ）のように非表示としてもよい。選択されているセンサの領域情報１４１ａ−３を背景色と区別して表示させることで、より識別しやすくなる。なお、本変形例は、図８（ａ）の形態にも適用できる。
【００６０】
（第一の実施形態の変形例４）
続いて、第１の実施形態の変形例４について説明する。図７（ｂ）、図８（ｂ）において、選択されたセンサ群（１４１ａ−１，３）の色と、選択されていないセンサ群（１４１−２，１４１ａ―２）の色を異ならせてもよい。たとえば選択されたセンサ群（１４１ａ−１，３）が、選択されていないセンサ群（１４１−２，１４１ａ―２）の色に比べて区別しやすい色や強調される色とすることで、選択されたセンサ群の視認性がより向上する。
【００６１】
〔第２の実施形態〕
続いて、第２の実施形態について説明する。図９は、測定収録画面（図３）の第２の実施形態に対応する収録画面の一例を示す図である。また、図１０は、解析画面（図５）の第２の実施形態に対応する解析画面の一例を示す図である。
【００６２】
図９および図１０に示すチャネル軸１０４の隣には、分布図１４１，１４２、１３０の縮小画像１４１ａ，１４２ａ、１３０ａが表示されている。分布図１４１は図１１（ａ）に示すように頭部外形像１４１−１と複数のセンサ１４１−２とで構成されている。頭部外形１４１−１は、被検者の鼻を示す三角状の部位が上方に表示され、左右に突出する小半円形は被検者の耳を示す。また、鼻を前としたときにＬは左側を示し、Ｒは右側を示す。センサ１４１−２は、デュワ３０（図１）の窪み３１の内側にある脳磁測定用の磁気センサの配置を示し、図７（ａ）に示す各ドットが磁気センサである。
【００６３】
測定者または解析者が、図７（ａ）または図７（ｃ）に示したように波形表示領域１０１に表示させる波形を特定のセンサに絞り込むと、図１１（ａ）に示す分布図１４１は、選択されたセンサ画像１４１−２が、選択されなかったセンサ画像と区別した色で表示される。これに対し、図１１（ｂ）に示す縮小画像１４１ａは、選択されたセンサを含む領域情報１４１ａ−３の周辺が塗りつぶされて表示される。縮小画像１４１ａの頭部外形像１４１ａ−１と複数のセンサ画像１４１ａ−２は、分布図１４１を縮小したものである。
【００６４】
測定収録画面（図９）および解析画面（図１０）から明らかなように、分布図１４１にはセンサが多数表示されているので、分布図をそのまま縮小表示すると各センサの間隔が狭まる。そのため、センサの視認性（特にどのセンサが選択されているか）が悪い。これに対し、本実施形態のように、分布図１４１の表示形態とは別の表示形態の分布図１４１ａとすることで、詳細な画面であっても縮小画像の視認性が向上する。
【００６５】
さらに、測定収録画面（図９）および解析画面（図１０）に示すチャネル軸１０４には、分布図で選択されたセンサ画像の番号が表示されているが、頭部外形像のどの位置のセンサ群であるかを認識しにくい。これに対し、本実施形態のように、縮小画像１４１ａをチャネル軸１０４の隣（または付近）に表示することで、チャネル軸１０４に表示されているセンサが頭部外形像のどの位置のセンサ群であるかを容易に視認できる。
【００６６】
なお、図１１では分布図１４１ａを例に説明したが、図９及び図１０に示されている分
布図１４２ａにも適用可能である。また、図１１（ｂ）の頭部外形像は図１１（ａ）頭部外形像を縮小したものとして説明したが、両者で異なる頭部外形像としてもよい。たとえば、図１１（ｂ）を図１２（ｃ）、図１２（ｄ）、図１２（ｅ）のいずれかの形態としてもよい。
【００６７】
図１９は、本実施形態のフローチャートを示す。判断部５５は、受付部５２によって、図９又は図１０に示されている分布図１４１，１４１ａの所望とするセンサの選択を受け付けたかを判断する（Ｓ１９１）。センサの選択は、収録者または解析者によって行われる。そして、判断部５５が選択を受け付けたと判断した場合には（Ｓ１９１でＹＥＳ）、表示制御部２５１が、受付部５２によって受け付けられたセンサの領域を分布図１４１上で強調表示すると共に、分布図１４１ａ上でも強調表示する（Ｓ１９２）。その後、磁気センサがさらに選択又は選択解除されれば（Ｓ１９３でＮＯ）、Ｓ１９１，Ｓ１９２の分析の処理が繰り返される。一方、Ｓ１９１，Ｓ１９２の処理が行われないで、分析の処理が終了する場合には（Ｓ１９３でＹＥＳ）、本フローは終了する。なお、分布図１４２及び縮小画像１４２ａにおいても、同様の処理が行われる。また、測定時においては、Ｓ１９３の分析を測定に置き換えることで適用できる。
【００６８】
（第２の実施形態の変形例１）
続いて、第２の実施形態の変形例１について説明する。センサ１４１ａ−２が密集していた場合、画像を縮小したときに各センサの間隔が通常の画面のときに比べて狭くなるので、選択していないセンサ群が条件によっては塗りつぶされたように誤認する可能性が考えられる。そこで、縮小画像１４１ａ，１４２ａの形態に図８（ｂ）および（ｃ）を適用すれば、選択していないセンサ群を非表示となるので選択したセンサ群１４１ａ−３をより確実に視認することができる。
【００６９】
また、画像を縮小したときに各センサ同士が重なって表示されないのであれば、縮小画像は、図８（ａ）または図８（ｄ）に示されている形態を適用してもかまわない。ここで、図８（ｄ）の場合、選択された領域のセンサ１４１ａ−２のドットの大きさの比較対象は、選択されていない領域のセンサの大きさに限られない。たとえば、図１１（ａ）における頭部外形像１４１−１の大きさに対するセンサ画像１４１−２のドットの相対的な大きさよりも、頭部外形像１４１ａ−１の大きさに対するセンサ画像１４１ａ−３のドットの相対的な大きさのほうが大きいともいうことができる。
【００７０】
さらに、縮小画像に表示される選択されたセンサ群１４１ａ−３の色と、選択されていないセンサ群（１４１ａ−２）の色を異ならせてもよい。たとえば選択されたセンサ群１４１ａ−３が、選択されていないセンサ群（１４１ａ−２）の色に比べて区別しやすい色や強調さされる色とすることで、選択されたセンサ群１４１ａ−３の視認性がより向上する。
【００７１】
（第２の実施形態の変形例２）
続いて、第２の実施形態の変形例２について説明する。測定者または解析者によって特定された分布図１４１の磁気センサの範囲（１４１ｄ−１）を、縮小画像に表示するにあたり、全ての範囲を縮小画像に反映させるとプログラムの実行負荷が高くなることが想定される。そこで、予め縮小画像で表示する磁気センサ領域のパターンをメモリ（後述の収録／解析情報保存部２５４等）に格納しておき、このパターンと測定者または解析者によって特定された範囲（図１２（ａ）の１４１ｄ−２）とを比較し、近いパターンを読み出して領域情報（図１２（ｂ）の１４１ａ―３）として表示する。図１２（ｂ）では特定された選択領域１４１ｄ−２と、表示される領域情報１４１ａ−３との関係を比較しやすいように両方示しているが、実際は領域情報１４１ａ−３のみの表示となる。また、説明の都合上、図１２（ａ）、（ｂ）ともに同じ大きさで示したが、図１２（ｂ）は縮小画像を示している。これにより、プログラムの実行負荷を軽減することができ、より操作性が向上する。
【００７２】
また、選択した領域と予め格納されているパターンとを比較し、近いパターンの選択肢を表示し、測定者または解析者に選択させるようにしてもよい。
【００７３】
また、近いパターンの選択肢を自動的に表示する場合、および、近いパターンの選択肢を表示する場合において、それぞれ、比較結果（一致度の数値）を縮小画像の近くに表示させてもよい。
【００７４】
図２１は、本実施形態のフローチャートを示す。判断部５５は、受付部５２によって、図９又は図１０に示されている分布図１４１，１４１ａの所望とする磁気センサの選択を受け付けたかを判断する（Ｓ２１１）。磁気センサの選択は、収録者または解析者によって行われる。そして、判断部５５が選択を受け付けたと判断した場合には（Ｓ２１１でＹＥＳ）、更に、判断部５５は、図９又は図１０に示されている分布図１４１内の所望とする磁気センサの選択を受け付けたかを判断する（Ｓ２１２）。
【００７５】
次に、判断部５５は、収録者または解析者により分布図の所望とする磁気センサをプルダウンリスト１４１ｍ−２（図７（ｃ））の情報を選択されたかを判断する（Ｓ２１３）。そして、判断部５５が、選択されたと判断すると（Ｓ２１３でｙｅｓ）、表示制御部２５１は、選択されたセンサのドットを、選択されなかったドットと区別した色で表示するとともに、縮小画像１４１ａにも分布図１４１で選択された領域と同じ領域を塗りつぶして表示する（Ｓ２１４）。
【００７６】
一方、収録者または解析者により分布図の所望とするセンサの選択領域１４１ｄ−２を図１２（ａ）のように選択した場合（Ｓ２１３でＮＯ）、表示制御部２５１は、選択されたセンサのドットが、選択されなかったドットと区別した色で表示するとともに、縮小画像１４１aにおいては分布図１４１で選択された選択領域と最も近い縮小画像の領域を表示させる（Ｓ２１５）。
【００７７】
また、判断部５５が、ステップＳ２１２において、収録者または解析者により縮小画像１４１ａ上でプリセットされている磁気センサを選択したと判断した場合には（Ｓ２１２でＮＯ）、表示制御部２５１は、その領域を縮小画像に強調表示させるとともに、分布図１４１においても選択されたセンサのドットが、選択されなかったドットと区別した色で強調表示する（Ｓ２１６）。なお、ステップＳ２１１で、判断部５５が、選択したセンサ情報がないと判断した場合には、ステップＳ２１７の処理へ進む。
【００７８】
その後、磁気センサの範囲がさらに選択されれば（Ｓ２１７でＮＯ）、ステップＳ２１６乃至Ｓ２１１の処理が繰り返される。一方、Ｓ２１１乃至Ｓ２１６の処理が行われないで、分析の処理が終了する場合には（Ｓ２１７でＹＥＳ）、本フローは終了する。なお、分布図１４２及び縮小画像の分布図１４２ａにおいても、同様の処理が行われる。
【００７９】
（第２の実施形態の変形例３）
続いて、第２の実施形態の変形例３について説明する。縮小画像１４１ａを表示するのは、収録者または解析者により分布図１４１で選択した磁気センサの選択領域１４１−１が視認できることが目的であるため、頭部外形像の形状に関しては、あらゆる形状とすることが可能である。特に磁気センサの領域を特定するために必要な形状（たとえば被検者の鼻を示す三角状の部位）が特定されていればよいので、表示制御部２５１は、被検者の耳を非表示（図１２（ｃ））にしたり、鼻と耳以外の外形形状を非表示（図１２（ｄ））にしたり、鼻以外の外形形状を非表示（図１２（ｅ））としてもよい。
【００８０】
（第２の実施形態の変形例４）
続いて、第２の実施形態の変形例４について説明する。図１３は、解析画面（図１０）の変形例を示す。なお、本例は測定収録画面（図９）の変形例として適用可能である。
【００８１】
図９では領域２０２Ａの右側に分布図１４１，１４２，１３０を表示させたことで、解析者は、波形表示領域１０３の「脳波信号の波形」、波形表示領域１０１，１０２の「脳磁信号の波形」、脳磁分布図１４１、１４２、及び脳波分布図１３０の順に（この場合は、時計回りで）視線移動を行うことができる。そのため、解析者（または測定者）の視線移動が効率的になり、解析作業効率を向上させることが可能となる。
【００８２】
これに対し、本変形例では、表示制御部２５１が、縮小画像１４１ａ，１４２ａ，１３０ａとチャネル軸１０４との間に分布図１４１，１４２，１３０を表示する。解析者（または測定者）が縮小画像１４１ａ、１４２ａ，１３０ａに視線をあわせているときに、チャネル軸１０４に表示させるセンサを変更したい場合、表示制御部２５１が、縮小画像１４１ａ，１４２ａ，１３０ａの隣に分布図１４１，１４２，１３０を表示させていることで、視線の動く距離を短くすることができ、作業性が向上する。
【００８３】
（第２の実施形態の変形例５）
続いて、第２の実施形態の変形例５について説明する。測定収録画面（図９）および解析画面（図１０）の波形表示領域１０１〜１０３に表示される波形は、表示される時間幅が大きいほど作業性が向上する。そこで、本変形例では、表示制御部２５１は、分布図１４１，１４２，１３０を表示させた状態（図９，１０）と非表示（図１４，１５）とに切り替え可能としている。図１４は測定収録画面で、図１５は解析画面である。
【００８４】
たとえば、測定者が測定収録画面（図９）又は解析者が解析画面（図１０）のウインドウクローズボタン１４３を押下すると、分布図１４１，１４２，１３０が非表示となり、分布図が表示されていた領域にも波形表示領域１０１〜１０３の波形が表示可能となる。
【００８５】
一方、測定収録画面（図１４）および解析画面（図１５）の状態で、縮小画像１４１ａ，１４２ａ，１３０ａのいずれかが押下されると、分布図１４１，１４２，１３０が表示される（図９，１０）。図１４（図１５）から図９（図１０）に画面が切り替わるとき、波形表示領域１０１〜１０３に表示される波形は、図１４（図１５）における波形表示領域１０１〜１０３に表示される波形のチャネル軸１０４から分布図１４１，１４２，１３０の左右幅分の時間に相当する位置を波形表示開始位置として表示される。また、時間軸１１２は、図１４（図１５）における時間軸１１２に表示される時間の左端から分布図１４１，１４２，１３０の幅分に相当する時間を表示開始位置にして表示される。
【００８６】
以上のように、本変形例によれば、より長時間の波形を波形表示領域１０１〜１０３に表示させることができるので、より作業性が向上する。なお、分布図１４２及び縮小画像１４２ａにおいても、同様の処理が行われる。また、本変形例は、図１３に示す例にも適用できる。
【００８７】
（第２の実施形態の変形例６）
続いて、第２の実施形態の変形例６について説明する。解析画面（図１５）の状態で、縮小画像１４１ａ，１４２ａ，１３０ａのいずれかが押下されると、図１６（ａ）に示すように分布図１４１，１４２，１３０が表示される。図１５から図１６（ａ）に画面が切り替わるとき、波形表示領域１０１〜１０３に表示される波形は、図１５の表示から変更されない。一方、分布図１４１，１４２，１３０は、チャネル軸１０４が隠れないようにして波形に重ねて表示される。言い換えれば、波形表示領域１０１〜１０３に表示される古い時間の波形に重ねて分布図１４１，１４２，１３０が表示される。
【００８８】
以上のように、図１３の例と同様に、縮小画像１４１ａ、１４２ａ，１３０ａの近くに分布図１４１，１４２，１３０を表示させていることで、視線の動く距離を短くすることができ、作業性が向上する。
【００８９】
また、図１６（ｂ）に示すように、縮小画像１４１ａ，１４２ａ，１３０ａのうち押下された縮小画像に対応する分布図１４１，１４２，１３０が表示される形態でもよい。図１６（ｂ）は縮小画像１４１ａが押下されたことにより分布図１４１が表示されている状態を示す。図１６（ｂ）の形態によれば、図１６（ａ）の効果に加えて、押下されていない縮小画像に対応する分布図が非表示であることによる波形の視認性がより向上する。
【００９０】
なお、本変形例は測定収録画面（図１４）にも適用可能である。また、図１５で表示された分布図１４１，１４２，１３０は、移動可能としてもよい。
【００９１】
（第２の実施形態の変形例７）
続いて、第２の実施形態の変形例７について説明する。縮小画像１４１ａに表示されているセンサ画像１４１ａ−３の数を変更したいとき、解析者はマウスなどの操作手段を用いて縮小画像１４１ａを右クリックする。すると、図１７に示すように、表示制御部２５１は、センサの選択領域を示すプルダウンリスト１４１ａｍ−２を表示させる。解析者は、このプルダウンリスト１４１ａｍ−２から所望の選択領域を選択する。選択領域が選択されると、表示制御部２５１は、波形表示領域１０３の波形は、選択されたセンサに対応する波形の表示に切り替える。また、表示制御部２５１は、縮小画像１４１ａに表示されている選択領域１４１ａ−３の範囲の表示も選択されたセンサに対応する表示に切り替える。なお、このプルダウンリスト１４１ａｍ−２は、メモリにプリセットされている選択領域の情報を出力して表示させるものであってもよいし、解析者が個別に定義する任意領域を設定可能としてもよい。また、このプルダウンリスト１４１ａｍ−２は、予め登録されている選択領域のパターンの中から表示させる選択領域を任意に設定して表示させてもよい。
【００９２】
以上のように、縮小画像１４１ａ上からセンサの選択領域を設定可能としたことで、解析者は、縮小画像１４１ａからの視線の移動を少なくでき、操作性が向上する。また、分布図１４１を開くことなくセンサの選択領域を設定可能であるため、波形表示領域を大きくした状態を維持できるとともに、分布図１４１を開く動作が不要となるので、より操作性が向上する。
【００９３】
また、本変形例では縮小画像１４１ａと分布図１４１とでセンサ選択方法を異ならせている。分布図１４１では、プリセットされている条件の他に、センサ１つ単位での選択が可能とし、縮小画像１４１ａではプリセットされている条件のみとする。このように、センサを詳細に設定したい場合にのみ、通常サイズの画面を用いて設定するようにすることで、より操作性が向上する。
【００９４】
また、プリセットされている領域ごとに、異なる色で表示してもよい。より視認性が向上する。
【００９５】
一例として縮小画像１４１ａを用いて説明したが、他の縮小画像１４２ａ，１３０ａにも適用可能である。また、本変形例は測定収録画面（図１４）にも適用可能である。
【００９６】
図２０は、本実施形態のフローチャートを示す。判断部５５は、受付部５２によって、図１３又は図１６に示されている分布図１４１，１４１ａの所望とするセンサ画像の選択を受け付けたかを判断する（Ｓ２０１）。センサ画像の選択は、収録者または解析者によって行われる。そして、判断部５５が選択を受け付けたと判断した場合には（Ｓ２０１でＹＥＳ）、更に、判断部５５は、図１３又は図１６に示されている分布図１４１内の所望とするセンサ画像の選択を受け付けたかを判断する（Ｓ２０２）。
【００９７】
次に、判断部５５は、分布図１４１の所望とするセンサ画像の選択を受け付けたと判断した場合には（Ｓ２０２でＹＥＳ）、表示制御部２５１が、選択されたセンサ画像を、選択されなかったセンサ画像と区別した色で表示するとともに、縮小画像１４１ａにも分布図１４１で選択された領域と同じ領域を塗りつぶして表示する（Ｓ２０３）。
【００９８】
一方、判断部５５が、ステップＳ２０２において、収録者または解析者により縮小画像１４１ａ上で、プリセットされている磁気センサの選択領域を選択したと判断した場合には（Ｓ２０２でＮＯ）、表示制御部２５１は、その領域を縮小画像に強調表示させるとともに、分布図１４１においても、上記選択されたセンサ画像を、選択されなかったセンサ画像と区別した色で強調表示する（Ｓ２０３）。なお、ステップＳ２０１で、判断部５５が、選択されたセンサ画像がないと判断した場合には、ステップＳ２０５の処理へ進む。
【００９９】
その後、磁気センサの範囲がさらに選択されれば（Ｓ２０５でＹＥＳ）、ステップＳ２０１乃至Ｓ２０４の処理が繰り返される。一方、Ｓ２０１乃至２０４の処理が行われないで、分析の処理は終了する場合には（Ｓ２０５でＹＥＳ）、本フローは終了する。なお、分布図１４２及び縮小画像の分布図１４２ａにおいても、同様の処理が行われる。
【０１００】
〔第３の実施形態〕
第２の実施形態では縮小画像１４１ａ，１４２ａをチャネル軸１０４の左に配置し、分布図１４１，１４２で選択した磁気センサの領域を縮小画像１４１ａ，１４２ａで塗りつぶして表示させた。これに対して、本実施形態では、縮小画像は時間軸１２２よりも上側に配置されており、分布図１４１，１４２で選択された磁気センサの領域に近い縮小画像群の各チェックボックスにチェックされている点で、第２実施形態と異なる。
【０１０１】
図２２は、第３の実施形態の一例であり、波形表示領域１０１に表示されている磁気センサの範囲をＭＥＧ１で示し、波形表示領域１０２に表示されている磁気センサの範囲をＭＥＧ２で示している。ＭＥＧ１、ＭＥＧ２のタイトル表示の隣には、チェックボックスと頭部外形像との組が複数表示されている。図２２に示す選択肢は、図７（ｃ）で示す選択肢と一致していることが好ましい。各頭部外形で塗りつぶされている領域は、磁気センサの範囲を示しており、この選択肢は予め収録／解析情報保存部２５４に登録されているものを表示してもよいし、測定者または解析者が登録・修正できるようにしてもよい。
【０１０２】
収録者または解析者が分布図１４１，１４２の所望とする磁気センサをプルダウンリスト１４１ｍ−２により選択すると（図７（ｃ））、分布図１４１，１４２は、選択されたセンサ画像が、選択されなかったセンサ画像と区別した色で表示され、分布図１４１，１４２で選択された領域と同じ領域の縮小画像群ＭＥＧ１，ＭＥＧ２のチェックボックスにチェックが表示される。
【０１０３】
一方、収録者または解析者により分布図の所望とする磁気センサの範囲を図７（ａ）のように選択した場合、分布図は選択されたセンサ画像が、選択されなかったセンサ画像と区別した色で表示され、縮小画像においては分布図で選択された領域と最も近い縮小画像のチェックボックスにチェックが表示される。
【０１０４】
また、収録者または解析者により、いずれかの縮小画像のチェックボックスにチェックを入れると、分布図においても選択されたセンサ画像が、選択されなかったセンサ画像と区別した色で表示される。
【０１０５】
これにより、プログラムの実行負荷を軽減することができ、より操作性が向上する。また、縮小画像群ＭＥＧ１，ＭＥＧ２を波形表示領域１０１に表示したため、波形表示領域１０１等に表示させる波形の時間幅を広くすることができる。
【０１０６】
また、波形表示領域の配置順（上から下に１０１、１０２と表示）と縮小画像の磁気センサの配置（上から下にＭＥＧ１、ＭＥＧ２）とを一致させたことで、磁気センサの選択領域と波形表示領域の波形との視認性が向上する。さらに、縮小画像群ＭＥＧ１でチェックされたチェックボックスまたは頭部外形像にマウスを移動したとき、対応する波形表示領域をハイライト表示させてもよい。これにより磁気センサの選択領域と波形表示領域の波形との視認性が向上する。
【０１０７】
また、縮小画像の表示方法として、図２３のような形態でもよい。図２３では、縮小画像群ＭＥＧ１と縮小画像群ＭＥＧ２をタブで分けて表示させている点で図２２と異なる。
この形態によれば、縮小画像の表示領域における上下方向のスペースを図２２に比べて小さくできるので、波形表示領域の上下方向の領域を大きくとることができ、波形の視認性が向上する。
【０１０８】
〔第４の実施形態〕
第２の実施形態では、縮小画像と分布図の両方を表示、または分布図を表示・非表示していた。これに対し、本実施形態では、縮小画像のみを表示させ、分布図に相当する詳細な磁気センサの選択領域の設定は、メニューから詳細な磁気センサの領域設定を選択し、別の画面で設定させるものである。このとき、別画面で磁気センサの選択領域を設定して画面を閉じる（または登録ボタンを押下する）と縮小画像に設定した領域が反映される。
本実施形態では図１４、図１５のレイアウトとなる。これにより、画面レイアウトが簡素となるため、視認性・操作性が向上する。
【０１０９】
図２４は、情報処理装置５０のハードウェア構成図である。情報処理装置５０は、ＣＰＵ（Central  Processing  Unit：プロセッサ）２１、ＲＡＭ（Random  Access  Memory）２２、ＲＯＭ（Read  Only  Memory）２３、補助記憶装置２４、入出力インタフェース２５、及び表示装置２８を有し、これらがバス２７で相互に接続されている。
【０１１０】
ＣＰＵ２１は、情報処理装置５０の全体の動作を制御し、各種の情報処理を行う。ＣＰＵ２１はまた、ＲＯＭ２３または補助記憶装置２４に格納された情報表示プログラムを実行して、測定収録画面と解析画面の表示動作を制御する。ＲＡＭ２２は、ＣＰＵ２１のワークエリアとして用いられ、主要な制御パラメータや情報を記憶する不揮発ＲＡＭを含んでもよい。ＲＯＭ２３は、基本入出力プログラム等を記憶する。本発明の情報表示プログラムもＲＯＭ２３に保存されてもよい。補助記憶装置２４は、ＳＳＤ（Solid  State  Drive）、ＨＤＤ（Hard  Disk  Drive）などの記憶装置であり、たとえば、情報処理装置５０の動作を制御する制御プログラムや、情報処理装置５０の動作に必要な各種のデータ、ファイル等を格納する。入出力インタフェース２５は、タッチパネル、キーボード、表示画面、操作ボタン等のユーザインタフェースと、各種センサあるいはサーバ４０からの情報を取り込み、他の電子機器に解析情報を出力する通信インタフェースの双方を含む。表示装置２８は各種の情報を表示するためのデバイス（ディスプレイ）である。表示装置２８では測定収録画面と解析画面が表示され、入出力インタフェース２５を介した入出力操作に応じて画面が更新される。
【０１１１】
図２５は、情報処理装置５０の機能ブロック図である。情報処理装置５０は、制御部２５０、解析部２５２、センサ情報取得部２５３、収録／解析情報保存部２５４、及びアノテーション入力部２５５を有する。制御部２５０は、情報処理装置５０の画面表示を制御する表示制御部２５１を含む。
【０１１２】
センサ情報取得部２５３は、測定装置３あるいはサーバ４０から、センサ情報を取得する。アノテーション入力部２５５は、センサ情報に付加されるアノテーション情報を入力する。解析部２５２は、収集されたセンサ情報を解析する。センサ情報の解析には、信号波形の解析、振幅の特異点の解析、電流ダイポールの向きを含む脳磁場の解析が含まれる。つまり、この例では、解析部２５２は、解析画面から選択されたアノテーションに対応する信号源を推定する機能（推定部の機能）を有している。表示制御部２５１は、センサ情報の測定収録時、及び解析時の画面表示を上述した手法で制御する。収録／解析情報保存部２５４は、測定データと解析結果を保存する。測定収録時に信号波形にアノテーションが付加された場合は、信号波形が取得された時間情報と対応付けて、アノテーションも保存される。表示制御部２５１を含む制御部２５０の機能は、図２４のＣＰＵ２１がＲＯＭ２３等に格納されたプログラムをＲＡＭ２２上に展開して実行することによって実現される。解析部２５２の機能も、ＣＰＵ２１がＲＯＭ２３等に格納されたプログラムをＲＡＭ２２上に展開して実行することにより実現される。なお、これに限らず、例えば制御部２５０および解析部２５２の機能のうちの少なくとも一部が専用のハードウェア回路（半導体集積回路等）で実現される形態であってもよい。センサ情報取得部２５３とアノテーション入力部２５５の機能は入出力インタフェース２５によって実現される。収録／解析情報保存部２５４の機能は、ＲＯＭ２３または補助記憶装置２４によって実現される。
【０１１３】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、上述の実施形態に示される全構成要素から幾つかの構成要素を削除してもよい。さらに、異なる実施形態および変形例にわたる構成要素を適宜組み合わせてもよい。
【０１１４】
また、上述した各実施形態の生体信号計測システム１で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【０１１５】
また、縮小画像の例として脳磁分布図で説明したが、これに限定されるものではなく、他の設定領域にも適用可能である。例えば、図２６に示されているように、心磁計に適用してもよい。図２６は、心磁計における分布図の一例を示す図である。図２６（ａ）は図７（ａ）に対応し、図２６（ｂ）は図７（ｂ）に対応する。
【０１１６】
また、図２７に示されているように、磁気センサの領域を複数個所選択できるようにしてもよい。図２７は、磁気センサの領域を複数個所選択できるようにした場合の分布図の一例を示す図である。図２７（ａ）は図７（ａ）に対応し、図２７（ｂ）は図７（ｂ）に対応する。ここで、それぞれ塗りつぶされた領域は、同じ色で表示してもよいし、別々の色で表示してもよい。また、分布図だけでなく、縮小画像にも適用可能である。
【０１１７】
また、磁気センサの領域を選択したときに、頭部の部位に応じて別々の色で表示させてもよい。たとえば、図２８（ａ）に示すように複数のセンサ画像を含む選択領域１４１ａ−１を指定すると、指定された領域のなかで図２８（ｂ）に示すように領域情報１４１−３ａと１４１−３ｂとが別々の色で表示される。この頭部の部位に関する情報と表示する色は、あらかじめメモリに格納されており、この情報に基づいて領域情報１４１−３ａと１４１−３ｂとが表示される。なお、本例においても、分布図および縮小画像に適用可能である。
【０１１８】
また、上記被検者は、「被検体」の一例であり、被検体には、人間だけでなく、犬若しくは猫、又は研究用のラット等も含まれる。分布図１４１，１４２は、「大型の選択受付領域」の一例であり、縮小画像１４１ａ，１４２ａは、「小型の選択受付領域」の一例である。
【符号の説明】
【０１１９】
１      生体信号計測システム
３      測定装置
２１    ＣＰＵ
２２    ＲＡＭ
２３    ＲＯＭ
２４    補助記憶装置
２５    入出力インタフェース
２７    バス
２８    表示装置
４０    サーバ
５０    情報処理装置
１０１  波形表示領域
１０２  波形表示領域
１０３  波形表示領域
１０４  チャネル軸
１４１  分布図（位置表示領域の一例、選択受付領域の一例）
１４１−２  センサ画像（位置情報の一例）
１４１−３  領域情報
１４１ａ  縮小画像（位置表示領域の一例）
１４１ｍ  プルダウンリスト（選択受付領域の一例）
１４２  分布図（位置表示領域の一例、選択受付領域の一例）
１４２ａ  縮小画像（位置表示領域の一例）
２５０  制御部
２５１  表示制御部
２５２  解析部
２５３  センサ情報取得部
２５４  収録／解析情報保存部
２５５  アノテーション入力部
２６１  第１の表示制御部
２６２  第２の表示制御部
【先行技術文献】
【特許文献】
【０１２０】
【特許文献１】特開２００９−１１８９１０号公報
【図１】
2019080896.tif 000003
【図２】
2019080896.tif 000004
【図３】
2019080896.tif 000005
【図４】
2019080896.tif 000006
【図５】
2019080896.tif 000007
【図６】
2019080896.tif 000008
【図７】
2019080896.tif 000009
【図８】
2019080896.tif 000010
【図９】
2019080896.tif 000011
【図１０】
2019080896.tif 000012
【図１１】
2019080896.tif 000013
【図１２】
2019080896.tif 000014
【図１３】
2019080896.tif 000015
【図１４】
2019080896.tif 000016
【図１５】
2019080896.tif 000017
【図１６（ａ）】
2019080896.tif 000018
【図１６（ｂ）】
2019080896.tif 000019
【図１７】
2019080896.tif 000020
【図１８】
2019080896.tif 000021
【図１９】
2019080896.tif 000022
【図２０】
2019080896.tif 000023
【図２１】
2019080896.tif 000024
【図２２】
2019080896.tif 000025
【図２３】
2019080896.tif 000026
【図２４】
2019080896.tif 000027
【図２５】
2019080896.tif 000028
【図２６】
2019080896.tif 000029
【図２７】
2019080896.tif 000030
【図２８】
2019080896.tif 000031